(57)【要約】      （修正有）【課題】情報媒体に複数の発光素子を取り付ける際、発光素子同士を電気的に接続する配線コードの長さを調整可能とする照明具を提供する。【解決手段】発光素子を収容した発光素子用ホルダー１０と、発光素子用ホルダー１０に接続している配線コード４と、を複数備える。開口を有する上部２１ｂと上部外周縁から裏側に延びる側壁部２１ｃ〜２１ｆとで収容空間を画成した枠体２０と、枠体２０の裏側から収容空間を塞ぐキャップ材３０と、を備える。側壁部２１ｅ，２１ｆにはスリット２１ｈが形成されており、発光素子用ホルダー１０を枠体２０に裏側から挿入しスリット２１ｈに配線コード４を挿通した状態で、発光素子用ホルダー１０を軸まわりに回し、配線コード４を発光素子用ホルダー１０周りに沿って部分的に収め、枠体２０から延出している長さを短くし得る。【選択図】図１
0003150493.tif 000002
【実用新案登録請求の範囲】
【請求項１】
発光素子が収容されている複数の発光素子用ホルダーと、該複数の発光素子用ホルダーのそれぞれから延びている配線コードと、を備えおり、上記発光素子用ホルダー同士が上記配線コードで連結されている照明具において、
開口を有する上部と該上部外周縁から裏側に延びる側壁部とで収容空間を画成した枠体と、該枠体の裏側から上記収容空間を塞ぐキャップ材と、を複数ずつ備え、
上記側壁部にはスリットが形成されており、
上記発光素子用ホルダーを上記枠体の裏側から挿入して上記スリットに上記配線コードを挿通した状態で、上記発光素子用ホルダーを軸まわりに回し、上記配線コードを上記発光素子用ホルダー周りに沿って部分的に収め、上記配線コードのうち上記枠体から延出している長さを短くし得ることを特徴とする照明具。
【請求項２】
前記発光素子用ホルダーの底部には係合筋が形成されており、
前記キャップ材において上記底部に対向する面には係止部が形成されており、
上記発光素子用ホルダーを上記枠体の裏側から挿入して該発光素子用ホルダーを軸まわりに回し、上記係合筋に上記係止部を係合させて前記枠体の裏側から前記キャップ材を取り付ける、請求項１に記載の照明具。
【請求項３】
前記発光素子用ホルダーは、前記発光素子のリードフレームが接続されている基板を収容するホルダー本体と、前記発光素子の樹脂モールド部を覆うカバー材と、を備え、上記カバー材の外周にはリブが形成されている、請求項１又は２に記載の照明具。
【請求項４】
前記カバー材は透明性ポリカーボネイトで成形されている、請求項３に記載の照明具。
【請求項５】
前記配線コードは電線がシリコン系樹脂で被膜されて構成されている、請求項１乃至４の何れかに記載の照明具。
【考案の詳細な説明】
【技術分野】
【０００１】
本考案は、広告板や掲示板などの情報媒体に取り付けられる照明具に関する。
【背景技術】
【０００２】
従来、店頭などに看板を設置し、看板に店名やその店に関する情報を呈示している。このような看板のうち、照明と装飾とを兼ねて発光ダイオード素子を配置し、発光ダイオード素子から光が放出されることで、夜間でも看板が人目を引き、看板に表示された情報を視認し易くしているものがある。また特定の文字や図形を示すように発光ダイオード素子を情報媒体に配列して構築されているものも知られている。
【０００３】
本考案者は、看板に発光ダイオード素子を取り付けるための発光素子用ソケットや、斬新な情報呈示を行える表示装置を開発してきた（例えば特許文献１及び２）。従来、発光ダイオード素子同士は互いに配線コードで接続されており、情報媒体に間隔をあけて取り付けられている。ここで、情報媒体とは、板材や発泡材で立体的又は平面的に構成されており、その表面に文字や図形が描かれていることで一般人などに情報を広く知らしめるためのものである。
【先行技術文献】
【特許文献】
【０００４】
【特許文献１】特開２００７−３０５５７８号公報
【特許文献２】実用新案登録第３１３８３５９号
【考案の概要】
【考案が解決しようとする課題】
【０００５】
しかしながら、発光ダイオード素子同士の配線コードの長さは、情報媒体に取り付けられる発光ダイオード素子の間隔よりも長く設定されている。よって、発光ダイオード素子が取り付けられている状態では、発光ダイオード素子同士を接続する配線コードは常に弛んでおり、見栄えが悪く、広告宣伝効果を低下させる。また、情報媒体への発光ダイオード素子の取付間隔は、情報媒体が呈示する文字や図形の形に応じて設定されたり、情報媒体が設置される店頭や路上などでの人通りの頻繁さに応じて設定されている。この場合、通常は予め発光ダイオード素子同士を配線コードで十分な間隔で接続しておき、その後発光ダイオード素子を情報媒体に取り付けることになる。よって、発光ダイオード素子間の配線コードは弛み、見栄えが悪くなる。
【０００６】
本考案は、上記の点に鑑み、情報媒体に複数の発光素子を取り付ける際、発光素子同士を電気的に接続する配線コードの長さを調整可能とする照明具を提供することを目的とする。
【課題を解決するための手段】
【０００７】
上記目的を達成するために、本考案は、発光素子が収容されている複数の発光素子用ホルダーと、複数の発光素子用ホルダーのそれぞれから延びている配線コードと、を備え、発光素子用ホルダー同士が配線コードで連結されている照明具において、開口を有する上部と上部外周縁から裏側に延びる側壁部とで収容空間を画成した枠体と、枠体の裏側から収容空間を塞ぐキャップ材と、複数ずつ備え、側壁部にはスリットが形成されており、発光素子用ホルダーを枠体の裏側から挿入してスリットに配線コードを挿通した状態で、発光素子用ホルダーを軸まわりに回し、配線コードを発光素子用ホルダー周りに沿って部分的に収め、配線コードのうち枠体から延出している長さを短くすることを特徴とする。
【０００８】
上記構成において、発光素子用ホルダーの底部には係合筋が形成されており、キャップ材において底部に対向する面には係止部が形成されており、発光素子用ホルダーを枠体の裏側から挿入して発光素子用ホルダーを軸まわりに回し、係合筋に係止部を係合させて枠体の裏側からキャップ材を取り付けることが好ましい。
【０００９】
上記構成において、発光素子用ホルダーは、発光素子のリードフレームが接続されている基板を収容するホルダー本体と、発光素子の樹脂モールド部を覆うカバー材と、を備え、カバー材の外周にはリブが形成されていることが好ましい。特に、カバー材は透明性ポリカーボネイトで成形されているとよい。
上記構成において、配線コードは電線がシリコン系樹脂で被膜されて構成されていることが好ましい。
【考案の効果】
【００１０】
本考案によれば、発光素子用ホルダーを枠体に挿入してスリットに配線コードを挿通した状態で、発光素子用ホルダーを軸まわりに回し、配線コードを発光素子用ホルダー周りに沿って部分的に収め、枠体から延出している長さを短くする。つまり、発光素子同士を電気的に接続する配線コードの長さを調整することができる。よって、照明具を取り付けて情報板や看板を構成しても、配線コードが弛まないので見栄えが向上し、広告宣伝機能を十分に発揮することができる。
【図面の簡単な説明】
【００１１】
【図１】本考案の実施形態に係る照明具の分解斜視図である。
【図２】図１に示す発光素子用ホルダーの断面図である。
【図３】図２に示すホルダー本体における基体を示し、（Ａ）は平面図、（Ｂ）は正面図、（Ｃ）は底面図、（Ｄ）は側面図、（Ｅ）はＸ１−Ｘ１に沿う断面図、（Ｆ）はＹ１−Ｙ１に沿う断面図、（Ｇ）は別の側面図である。
【図４】図２に示すホルダー本体における閉塞体を示し、（Ａ）は平面図、（Ｂ）は正面図、（Ｃ）は底面図、（Ｄ）は側面図、（Ｅ）はＹ２−Ｙ２に沿う断面図である。
【図５】図２に示すキャップを示し、（Ａ）は平面図、（Ｂ）は正面図、（Ｃ）は底面図、（Ｄ）はＹ３−Ｙ３に沿う断面図である。
【図６】図１に示す枠体に関し、（Ａ）は平面図、（Ｂ）は正面図、（Ｃ）は底面図、（Ｄ）は側面図、（Ｅ）はＸ３−Ｘ３に沿う断面図、（Ｆ）はＹ３−Ｙ３に沿う断面図である。
【図７】図１に示すキャップ材に関し、（Ａ）は平面図、（Ｂ）は正面図、（Ｃ）は底面図、（Ｄ）は側面図である。
【図８】枠体に発光素子用ホルダーを裏側から挿入してキャップ材を取り付ける工程を示す図である。
【図９】本考案の照明具を用いた看板を模式的に示す図である。
【図１０】本考案における発光素子用ホルダーを用いた看板を模式的に示す図である。
【考案を実施するための形態】
【００１２】
以下、図面を参照しながら本考案の実施形態について詳細に説明する。同一又は対応する部材には同一の符号を付して説明を省略する。
図１は、本考案の実施形態に係る照明具の分解斜視図である。本考案の実施形態に係る照明具１では、発光素子２及び基板３（図２参照）が発光素子用ホルダー１０に収容されており、枠体２０が発光素子用ホルダー１０に被さり、発光素子用ホルダー１０の頭部１０ａを突出した状態において枠体２０の裏側にキャップ材３０が取り付けられている。以下、照明具１における各部材の構成について説明する。
【００１３】
＜発光素子用ホルダー＞
図２は、図１に示す発光素子用ホルダー１０の断面図である。発光素子用ホルダー１０は、発光素子２のリードフレーム２ｂが接続されている基板３を収容するホルダー本体１１と、発光素子２の樹脂モールド部２ａを被覆するカバー材１２と、で構成される。ホルダー本体１１は、略円筒の基体１３と、基体１３の底部１３ａを塞ぐ閉塞体１４と、からなる。
【００１４】
図３は図２に示すホルダー本体における基体１３を示し、（Ａ）は平面図、（Ｂ）は正面図、（Ｃ）は底面図、（Ｄ）は側面図、（Ｅ）はＸ１−Ｘ１に沿う断面図、（Ｆ）はＹ１−Ｙ１に沿う断面図、（Ｇ）は別の側面図である。
ホルダー本体１１における基体１３は前後の側壁部１３ｂ，１３ｃと左右側の側壁部１３ｄ，１３ｅとで構成され、前後の側壁部１３ｂ，１３ｃは平板状で互いに並行されており、前後の側壁部１３ｄ，１３ｅは断面半円弧状で前後の側壁部１３ｂ，１３ｃにそれぞれつながっている。前後及び左右の側壁部１３ｂ〜１３ｅで周状をなす基体１３の上端部１３ｆは断面略円筒状に形成され、カバー材１２と密着する。
前後及び左右の側壁部１３ｂ〜１３ｅで周状をなす基体１３の下端部１３ｇはその外周壁が薄くなっている。これは、基体１３の下端部１３ｇに後述する閉塞体１４が取り付けられた際、基体１３及び閉塞体１４を凹凸なく接続するためである。
左右側の側壁部１３ｄ，１３ｅは何れもＵ字状のスリット１３ｈが形成されており、各スリット１３ｈは、配線コード４を挿通するためである（図２参照）。スリット１３ｈは、図３（Ｄ）に示す以外に図３（Ｇ）に示すようにスリット１３ｈを浅く形成していてもよい。
【００１５】
図４は図２に示すホルダー本体１１における閉塞体１４を示し、（Ａ）は平面図、（Ｂ）は正面図、（Ｃ）は底面図、（Ｄ）は側面図、（Ｅ）はＹ２−Ｙ２に沿う断面図である。閉塞体１４は、基体１３の外形に沿ってトラック状に形成されており、底部１４ａの前後縁からそれぞれ前後の側壁部１４ｂ，１４ｃがスリット１４ｄ，１４ｄを対向して形成するように立設している。前後の側壁部１４ｂ，１４ｃは、基体１３の前後の側壁部１３ｂ，１３ｃ及び左右の側壁部１３ｄ，１３ｅに外側から嵌め込まれる。底部１４ａにはスリット１４ｄ，１４ｄに垂直な前後の側壁部１４ｂ，１４ｃの間に係合筋１４ｅが形成されている。
【００１６】
図５は図２に示すカバー材１２を示し、（Ａ）は平面図、（Ｂ）は正面図、（Ｃ）は底面図、（Ｄ）はＹ３−Ｙ３に沿う断面図である。カバー材１２は、発光素子２における樹脂モールド部２ａ（図２参照）を覆うように半球面状に形成された被覆部１２ａと、筒状の中間部１２ｂと、この中間部１２ｂの下端に中間部１２ｂより小径の筒状の接続部１２ｃと、で一体成形されてなる。中間部１２ｂの外周には軸方向に延びるリブ１２ｄが突出して周状に間隔をあけて形成されている。
【００１７】
＜枠体とキャップ材＞
図６は図１に示す枠体２０を示し、（Ａ）は平面図、（Ｂ）は正面図、（Ｃ）は底面図、（Ｄ）は側面図、（Ｅ）はＸ３−Ｘ３に沿う断面図、（Ｆ）はＹ３−Ｙ３に沿う断面図である。枠体２０は、中心に開口２１ａを有して平面視でトラック状の上端部２１ｂと、その上端部２１ｂから垂直に延びる側壁部２１ｃ〜２１ｆと、を有する。前後の側壁部２１ｃ，２１ｄは何れも平板状の凹み部２１ｇが形成されており、その凹み部２１ｇの上端は断面Ｌ字状に切り欠かれている。左右の側壁部２１ｅ，２１ｆは何れも湾曲しており、左右の側壁部２１ｅ，２１ｆのほぼ中間領域は、配線コード４を挿通するためのやや幅広のスリット２１ｈが形成されている。
【００１８】
図７は図１に示すキャップ材３０を示し、（Ａ）は平面図、（Ｂ）は正面図、（Ｃ）は底面図、（Ｄ）は側面図である。キャップ材３０は、枠体２０の平面視と同形の本体部３１と、湾曲していない直線状の端部３１ａからほぼ垂直に立設する一対の壁部３２，３２と、が一体成形されている。本体部３１の上面、即ち、発光素子用ホルダー１０の底部に対向する面３１ｂには、係止部３１ｃが一対の壁部３２，３２との間に延びて断面凸状に形成されている。一対の壁部３２，３２は先端部にそれぞれ爪部３２ａを有する。
【００１９】
本考案の実施形態に係る照明具１は上記各部材を次のように組み立てて構成される。
先ず、発光素子用ホルダー１０内に発光素子２及び基板３を収容する。予め、図２に示すようにプリント基板３には例えばアルミ配線３ａが積層され、アルミ配線３ａには発光素子２のリードフレーム２ｂが半田で電気的に接続されている。アルミ配線３ａには図示しない抵抗素子などが接続されており、アルミ配線３ａの上端部には発光素子２のリードフレーム２ｂが接続され、アルミ配線３ａの下端部には配線コード４，４が半田より接続されている。このように発光素子２がプリント基板３に接続されている状態で、発光素子２と共にプリント基板３をホルダー本体１１の基体１３に下側から挿通し、基体１３の下端部に閉塞体１４を取り付け、さらに、発光素子２にカバー材１２をかぶせてカバー材１２を基体１３に嵌合する。その際、配線コード４は基体１３のスリット１３ｈに裏側から挿入される。なお、カバー材１２及び基体１３には螺子山を刻設しておき、螺合によりカバー材１２と基体１３とを接続してもよい。発光素子２は、樹脂モールド部２ａの下端の鍔部２ｃをカバー材１２内周面に形成した張出部１２ｅに係合させる。これにより、図１及び図２に示すように、発光ダイオード素子などの発光素子２及びプリント基板３が収容される発光素子用ホルダー１０を組み立てる。
【００２０】
上記のような工程を繰り返して行い、発光素子用ホルダー１０を複数並べてその間を配線コード４で接続する。図８は、枠体２０に発光素子用ホルダー１０を裏側から挿入してキャップ材３０を取り付ける工程を示す図である。図８（Ａ）に示すように発光素子用ホルダー１０を枠体２０に裏側から挿入する。すると、図８（Ｂ）に示すように、枠体２０の開口２１ａから発光素子用ホルダー１０の頭部１０ａが突出する。その際、左右の側壁部のスリット２１ｈから配線コード４をそれぞれ張り出す。その後、発光素子用ホルダー１０の頭部１０ａを掴んで軸回りに、即ち発光素子２の照射方向の軸回りに回し、発光素子用ホルダー１０から延びている配線コード４をホルダー本体１１と枠体２０内周面との間の収容空間に部分的に収容する。その後、図８（Ｃ）に示すように、発光素子用ホルダー１０の係合筋１４ｅに対しキャップ材３０の係止部３１ｃを対向して係合筋１４ｅに係止部３１ｃを嵌めると共に、キャップ材３０の壁部３２をそれぞれ枠体２０の凹み部２１ｇに収め、キャップ材３０の爪部３２ａを凹み部２１ｇの先端に引っ掛ける。係合筋１４ｅと係止部３１ｃとが噛み合っているので、発光素子用ホルダー１０は配線コード４の復元力により逆に回るようなこともなく、枠体２０及びキャップ材３０から延出している配線コード４の長さも延びることがない。
【００２１】
図９は、本考案の照明具を用いた看板を模式的に示す図である。
看板５０は、図９に示すように、ボード５１の表面に文字や図形の枠５２が印刷などにより設けられている。本考案の照明具１は、この枠５２内に照明具１を両面接着テープなどにより貼り付ける。ここで、照明具１は、各発光素子用ホルダー１０が枠体２０に裏側から挿入され配線コード４の長さが調整されており、キャップ材３０が裏側から取り付けられている。よって、枠体２０と枠体２０との間の間隔と配線コード４の長さとがほぼ同程度に調整されているので、配線コード４が表示側にたわむことがない。よって、看板５０は見栄えが良く、十分広告機能を発揮する。
【００２２】
図１０は、本考案における発光素子用ホルダーを用いた看板を模式的に示す図である。本考案における発光素子用ホルダー１０は所定の間隔を開けて配線コード４で接続されているので、図１０に示すように、アルミ合板６２に貫通穴を開けて裏側から挿入し、カバー材１２のリブ１２ｄと基体１３とでアルミ合板６２を挟んで取付可能となる。
【００２３】
本考案においては、発光素子２から発する光を透過するカバー材１２は透明性ポリカーボネイトで成形されていることが好ましい。これにより、カバー材１２が紫外線を透過させないため、発光素子２の樹脂モールド部２ａを保護することができる。また、キャップの表面や内周面は、面カットされていることが好ましい。これにより、発光素子２からの光が広がり、光が拡散しやすくなる。
配線コード４は特にシリコーン電線（シリコーン電線とも呼ぶ。）、即ち電線をシリコン系樹脂で被覆して形成されていることが好ましい。ビニール電線に紫外線があたると経年変化により亀裂が発生するのに対し、シリコーン電線は対候性、耐熱性にも富むので、特に屋外に配置される看板等には有効である。
【００２４】
本考案では、枠材とキャップ材との間に、発光素子用ホルダーを収容して、配線コードを出しているが、配線コードを発光素子用ホルダーのまわりに沿って引っ込めているので、発光素子用ホルダー同士の間の配線コードの長さを調整することができる。また、発光素子用ホルダーにおける前後の側壁部を湾曲せず、平面状にしたので掴み易い。
【００２５】
本考案の実施形態は図示した例のものに限られない。上述した例では、係合筋１４ｃと係止部３１ｃは線状に形成されているところ、十字状や半円弧状など、係合筋１４ｃと係止部３１ｃとが互いに係合して、発光素子用ホルダー１０が回転しなければよい。また、上述した例では、枠体やキャップ材の形状は図示した例以外にも、取付箇所に応じて適宜変更することができる。例えばキャップ材のうち発光素子用ホルダーの底部と対向する面を傾斜させる。これにより、枠体とキャップ材との間に水が溜まり難くなる。
【符号の説明】
【００２６】
１：照明具
２：発光素子
２ａ：発光素子の樹脂モールド部
２ｂ：リードフレーム
２ｃ：発光素子の鍔部
３：基板（プリント基板）
４：配線コード
１０：発光素子用ホルダー
１０ａ：発光素子用ホルダーの頭部
１１：ホルダー本体
１２：カバー材
１２ａ：カバー材の被覆部
１２ｂ：カバー材の中間部
１２ｃ：カバー材の接続部
１２ｄ：リブ
１２ｅ：カバー材の張出部
１３：基体
１３ａ：基体の底部
１３ｂ，１３ｃ，１３ｄ，１３ｅ：基体の側壁部
１３ｆ：基体の上端部
１３ｇ：基体の下端部
１３ｈ：スリット
１４：閉塞体
１４ａ：閉塞体の底部
１４ｂ，１４ｃ：閉塞体の側壁部
１４ｄ：スリット
１４ｅ：係合筋
２０：枠体
２１ａ：開口
２１ｂ：枠体の上端部
２１ｃ，２１ｄ，２１ｅ，２１ｆ：側壁部
２１ｇ：凹み部
２１ｈ：スリット
３０：キャップ材
３１：本体部
３１ａ：本体部の端部
３１ｂ：本体部の面
３１ｃ：係止部
３２：壁部
３２ａ：爪部
５０，６０：看板
５１：ボード
５２：枠
６２：アルミ合板
【図１】
0003150493.tif 000003
【図２】
0003150493.tif 000004
【図３】
0003150493.tif 000005
【図４】
0003150493.tif 000006
【図５】
0003150493.tif 000007
【図６】
0003150493.tif 000008
【図７】
0003150493.tif 000009
【図８】
0003150493.tif 000010
【図９】
0003150493.tif 000011
【図１０】
0003150493.tif 000012